【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群と、正又は負の屈折力の第２レンズ群を有する前群と、光路を折り曲げる反射ミラーと、２以上のレンズ群を有する後群から構成され、ズーミングに際して隣り合うレンズ群の間隔が変化するズームレンズであって、ズーミングに際して、前記反射ミラーは不動であり、前記第１レンズ群と前記後群を構成する少なくとも２つのレンズ群は移動し、沈胴収納に際して、前記反射ミラーは、反射面の法線が前記後群の光軸と平行に近づくような回動と、前記後群の光軸方向への移動の少なくとも一方の動作を行い、前記反射ミラーの動作によって生ずる空間内に前記前群の少なくとも一部が移動し、前記前群を構成する負の屈折力のレンズ群のうち屈折力の絶対値が最も大きいレンズ群の焦点距離をｆｎ、望遠端における全系の焦点距離をｆｔ、前記前群の光軸と前記後群の光軸を含む断面における前記反射ミラーの長さをＬｍ、前記前群を構成する各レンズ群の厚さの和をＬｆ、沈胴収納時の前記断面における前記第１レンズ群の最も物体側のレンズ面の頂点から前記反射ミラーの端部までの前記前群の光軸方向に沿った長さのうち短い方の長さをＬとするとき、
１０．５＜ｆｔ／｜ｆｎ｜＜３０．０
０．８０＜（Ｌｆ−Ｌ）／Ｌｍ＜１．３０
なる条件式を満足することを特徴とするズームレンズ。
【請求項２】
前記後群のうち、最も像側に配置されるレンズ群の焦点距離をｆｒとするとき、
０．１０＜ｆｒ／ｆｔ＜０．４０
なる条件式を満足することを特徴とする請求項１に記載のズームレンズ。
【請求項３】
前記前群を構成する負の屈折力のレンズ群のうち屈折力の絶対値が最も大きいレンズ群は２以上の負レンズを有しており、該２以上の負レンズの材料の平均屈折率をＮｎとするとき、
１．８５＜Ｎｎ＜２．００
なる条件式を満足することを特徴とする請求項１又は２に記載のズームレンズ。
【請求項４】
前記後群を構成する１つのレンズ群は、物体側から像側へ順に、第１サブレンズ成分と、ブレ補正に際して光軸に対して垂直方向の成分を持つ方向に移動する第２サブレンズ成分よりなることを特徴とする請求項１乃至３のいずれか１項のズームレンズ。
【請求項５】
前記前群の変倍比をＺｆ、前記後群の変倍比をＺｒとするとき、
１．５０＜Ｚｆ／Ｚｒ＜６．００
なる条件式を満足することを特徴とする請求項１乃至４のいずれか１項に記載のズームレンズ。
【請求項６】
沈胴収納時における前記反射ミラーの反射面の法線と前記後群の光軸とのなす角度をα度とするとき、
｜α｜＜１５度
なる条件式を満足することを特徴とする請求項１乃至５のいずれか１項に記載のズームレンズ。
【請求項７】
前記反射ミラーは、沈胴収納に際して、前記回動と前記後群の光軸方向への移動の双方の動作を行うことを特徴とする請求項１乃至６のいずれか１項のズームレンズ。
【請求項８】
前記前群は、物体側から像側へ順に、正の屈折力の第１レンズ群、負の屈折力の第２レンズ群より構成され、前記後群は、物体側から像側へ順に、正の屈折力の第３レンズ群、負の屈折力の第４レンズ群、正の屈折力の第５レンズ群から構成されることを特徴とする請求項１乃至７のいずれか１項に記載のズームレンズ。
【請求項９】
前記前群は、物体側から像側へ順に、正の屈折力の第１レンズ群、負の屈折力の第２レンズ群、負の屈折力の第３レンズ群より構成され、前記後群は、物体側から像側へ順に、正の屈折力の第４レンズ群、負の屈折力の第５レンズ群、正の屈折力の第６レンズ群から構成されることを特徴とする請求項１乃至７のいずれか１項に記載のズームレンズ。
【請求項１０】
前記前群は、物体側から像側へ順に、正の屈折力の第１レンズ群、負の屈折力の第２レンズ群より構成され、前記後群は、物体側から像側へ順に、負の屈折力の第３レンズ群、正の屈折力の第４レンズ群、負の屈折力の第５レンズ群、正の屈折力の第６レンズ群から構成されることを特徴とする請求項１乃至７のいずれか１項に記載のズームレンズ。
【請求項１１】
前記前群は、物体側から像側へ順に、正の屈折力の第１レンズ群、負の屈折力の第２レンズ群より構成され、前記後群は、物体側から像側へ順に、正の屈折力の第３レンズ群、正の屈折力の第４レンズ群より構成されることを特徴とする請求項１乃至７のいずれか１項に記載のズームレンズ。
【請求項１２】
前記前群は、物体側から像側へ順に、正の屈折力の第１レンズ群、正の屈折力の第２レンズ群、負の屈折力の第３レンズ群より構成され、前記後群は、物体側から像側へ順に、正の屈折力の第４レンズ群、負の屈折力の第５レンズ群、正の屈折力の第６レンズ群から構成されることを特徴とする請求項１乃至７のいずれか１項に記載のズームレンズ。
【請求項１３】
請求項１乃至１２のいずれか１項の記載のズームレンズと、該ズーミングによって形成された像を受光する固体撮像素子を有することを特徴とする撮像装置。
【手続補正２】
【補正対象書類名】明細書
【補正対象項目名】００１２
【補正方法】変更
【補正の内容】
【００１２】
本発明のズームレンズは、物体側から像側へ順に、正の屈折力の第１レンズ群と、正又は負の屈折力の第２レンズ群を有する前群と、光路を折り曲げる反射ミラーと、２以上のレンズ群を有する後群から構成され、ズーミングに際して隣り合うレンズ群の間隔が変化するズームレンズであって、ズーミングに際して、前記反射ミラーは不動であり、前記第１レンズ群と前記後群を構成する少なくとも２つのレンズ群は移動し、沈胴収納に際して、前記反射ミラーは、反射面の法線が前記後群の光軸と平行に近づくような回動と、前記後群の光軸方向への移動の少なくとも一方の動作を行い、前記反射ミラーの動作によって生ずる空間内に前記前群の少なくとも一部が移動し、前記前群を構成する負の屈折力のレンズ群のうち屈折力の絶対値が最も大きいレンズ群の焦点距離をｆｎ、望遠端における全系の焦点距離をｆｔ、前記前群の光軸と前記後群の光軸を含む断面における前記反射ミラーの長さをＬｍ、前記前群を構成する各レンズ群の厚さの和をＬｆ、沈胴収納時の前記断面における前記第１レンズ群の最も物体側のレンズ面の頂点から前記反射ミラーの端部までの前記前群の光軸方向に沿った長さのうち短い方の長さをＬとするとき、
１０．５＜ｆｔ／｜ｆｎ｜＜３０．０
０．８０＜（Ｌｆ−Ｌ）／Ｌｍ＜１．３０
なる条件式を満足することを特徴としている。
【手続補正３】
【補正対象書類名】明細書
【補正対象項目名】００１５
【補正方法】変更
【補正の内容】
【００１５】
以下、本発明のズームレンズ及びそれを有する撮像装置について説明する。本発明のズームレンズは、物体側から像側へ順に、正の屈折力の第１レンズ群と、正又は負の屈折力の第２レンズ群を有する前群と、光路を折り曲げる反射ミラーと、２以上のレンズ群を有する後群から構成されている。ズーミングに際して隣り合うレンズ群の間隔が変化する。そしてズーミングに際して反射ミラーは不動で第１レンズ群と後群を構成する少なくとも２つのレンズ群が移動する。そして沈胴収納に際して、反射ミラーは回転軸を中心とする回動と後群の光軸方向への移動の少なくとも一方の動作を行い、反射ミラーの動作によって生ずる空間内に前群の少なくとも一部が収納される。
【手続補正４】
【補正対象書類名】明細書
【補正対象項目名】００４７
【補正方法】変更
【補正の内容】
【００４７】
後群ＬＲを構成する１つのレンズ群は、物体側から像側へ順に第１サブレンズ成分と、ブレ補正に際して光軸に対して垂直方向の成分を持つ方向に移動する第２サブレンズ成分よりなっている。反射ミラーを有する高ズーム比のズームレンズでは、広角端から望遠端へのズーミングに際して移動レンズ群が反射ミラー側に接近する構成をとることがある。